(57)【要約】【課題】スキー、スノーボード、オートバイ用等のゴーグルにおいてデザイン自由度を高め、又、耳とバンドの干渉を防止し、コストが上昇する事も無く、低温時の使用においても安定した性能を発揮し、更に装着時の使い勝手と、使用中の装着感と固定性能を向上させるものである。【解決手段】ゴーグルを固定するバンドが両端部に幅細部を有する織製帯よりなり、前記織製帯の経糸に伸縮性と耐寒性を有する素材が使用され、  更に前記バンドはゴーグルの装着時における側頭部位置の長手方向の伸び率がほぼ均一であり、望ましくは前記バンドはゴーグル装着持における耳位置付近に幅細部を有する事を特徴とする。【選択図】図２
0003150770.tif 000002
【実用新案登録請求の範囲】
【請求項１】
ゴーグルを固定するバンドが両端部に幅細部を有する織製帯よりなり、前記織製帯の経糸に伸縮性と耐寒性を有する素材が使用される事を特徴とするゴーグル。
【請求項２】
前記バンドは、ゴーグルの装着時における側頭部位置の長手方向の伸び率がほぼ均一である事を特徴とする請求項１記載のゴーグル
【請求項３】
前記バンドは、ゴーグルの装着時における耳位置に幅細部を有する事を特徴とする請求項１記載のゴーグル。
【請求項４】
前記バンドは、ゴーグルの装着時における後頭部当接面に滑り止め機能を有する経糸もしくは緯糸が露出し、側頭部当接面には滑り止め機能を有する経糸もしくは緯糸が露出しない事を特徴とする請求項１記載のゴーグル。
【考案の詳細な説明】
【技術分野】
【０００１】
本考案は、スキー、スノーボード、オートバイ用等のゴーグルに関するものである。
【背景技術】
【０００２】
従来、この種のゴーグルとして、図６、図７に、バンドに織製帯を用いた一般的なスキー、スノーボード、オートバイ用のゴーグル形状と、その使用状態を示す。又、特許第３３６０８４１号には図８に示す様にゴーグルバンドの両端に、ゴーグルレンズと回動自在に接続される接続具を連結する構造が開示されている。又、特開平2003-62005号には図９に示す様にエラストマーなどの伸縮性を有する材料で一体に形成され、両端部及びゴーグル装着時におけるこめかみ部付近の幅を細くし、こめかみ部の伸び特性を良くしたゴーグルのバンドが開示されている。又、登録実用新案第３０１１８３７号には図１０に示す様にゴーグルバンドと結合し、ヘルメット使用時にゴーグルバンドのズレを防止する吸引部を有するゴーグルホルダーが開示されている。又、実開昭５６−１６５０８１号には図１１に示す様に、経糸相互の隣接間隔を変化させる事により幅広部と幅細部を形成した織製帯が開示されている。
【０００３】
しかしながら、図１、図２に示す一般的な従来のスキー、スノーボード、オートバイ用のゴーグル１１は、全体に渡ってバンド１２の幅が同一であるため、ゴーグル１１とバンド１２との結合部の幅が広くなり、ゴーグル１１のデザインの自由度に悪影響を与えていた。更に、装着時においてバンド１２が耳に掛かるために、耳が痛くなり、又、場合によっては耳を覆う事により音の聞こえが悪くなる不具合が有った。
【０００４】
又、前記の特許第３３６０８４１号では接続具１３と接続具をゴーグル１１に固定する止め具１４が必要になるため、部品代と組み立て工数が増えコストアップの要因となると同時に、バンド両端に接続した接続具１３の長さの分だけ、バンド１２の伸びに対して影響度の高い側面部の長さが短くなってしまうためにバンド１２の絶対的な伸び寸法が少なくなり、使用感が悪化する問題があった。（特にバンドの長さ調節部が後頭部当接面に有る場合）
【０００５】
又、特開平2003-62005号ではゴーグル１１のバンド１５がエラストマーなどの伸縮性を有する材料で一体に形成されているため、伸縮素材を用いた経糸を使用した織物である織製帯で出来たバンドと比較して低温時における伸び特性が著しく劣り、幅細部１６を作って部分的に伸び特性を良くしても、実際にスキー、スノーボードや、低温時にオートバイで使用する際には、装着時にバンド１５が非常に硬くなり、装着作業性や装着感が著しく劣ると同時に、ホールド性も劣るためゴーグル１１のズレや落下の原因となった。
【０００６】
又、登録実用新案第３０１１８３７号ではヘルメット使用時にゴーグル１１のバンド１２のズレを防止するために吸引部を有するゴーグルホルダー１７を設けているが、コストが増加する上、ヘルメット不使用時には、いちいちゴーグル１１とバンド１２の接続部からバンド１２を外し、ゴーグルホルダー１７を抜き取る必要があり不便であった。
【０００７】
又、前記の実開昭５６−１６５０８１号は、幅細部１８と幅広部1９を形成した織製帯の一般技術を示すものであり、その様なベルトを、スキーのストックや、カメラのグリップバンド２０、肩下げバンド、衣服用のベルトに利用可能である事が開示されているものの、織製帯の経糸の伸縮性や耐寒性に着目した物ではなく、更に幅細部１８と幅広部1９を形成した織製帯において長手方向のほぼ均一な伸び率を得る物でも無かった。
【特許文献１】特許第３３６０８４１号
【特許文献２】特開平2003-62005号
【特許文献３】登録実用新案第３０１１８３７号
【特許文献４】実開昭５６−１６５０８１号
【考案の開示】
【考案が解決しようとする課題】
【０００８】
本考案は、上記のような欠点を除くようにしたものであり、ゴーグルのデザイン自由度を高め、又、耳とバンドの干渉を防止し、コストが上昇する事も無く、低温時の使用においても安定した性能を発揮し、更に装着時の使い勝手と、使用中の装着感と固定性能を向上させる事を課題とする。
【課題を解決するための手段】
【０００９】
本考案のゴーグルは、ゴーグルを固定するバンドが両端部に幅細部を有する織製帯よりなり、前記織製帯の経糸に伸縮性と耐寒性を有する素材が使用される事を特徴とする。
【００１０】
更に、本考案のゴーグルの前記バンドは、ゴーグルの装着時における側頭部位置の長手方向の伸び率がほぼ均一であると良い。
【００１１】
又、本考案のゴーグルの前記バンドは、ゴーグルの装着時における耳位置に幅細部を有すると良い。
【００１２】
又、本考案のゴーグルの前記バンドは、ゴーグルの装着時における後頭部当接面に滑り止め機能を有する経糸もしくは緯糸が露出し、側頭部当接面には滑り止め機能を有する経糸もしくは緯糸が露出しない様にしても良い。
【考案の効果】
【００１３】
本考案のゴーグルは、バンドの先端部を幅細にする事によりゴーグルのデザイン自由度を高める事ができ、新たな部品が不要であるためコストの上昇を抑える事ができる。又、低温時にも安定した伸縮性を有する事が出来る。
【００１４】
更に装着時における側頭部位置のバンド全体がほぼ均一の伸びを有する（局部的にバンドが伸びない）ためバンドの寿命が長く作業性も良い。
【００１５】
更に、装着時における耳の部分を幅細部とした場合はバンドが耳に掛かる事を防止出来、外部の音が良く聞こえて安全なうえ、耳にベルトが当たって痛くなる事もない。
【００１６】
又、ゴーグル装着時において後頭部当接面に滑り止め機能を有する経糸もしくは緯糸が露出する事により、ヘルメット使用時の固定性能が向上すると同時に、側頭部当接面には滑り止め機能を有する経糸もしくは緯糸が露出させない事により、装着作業時にベルトの伸びを阻害しないせず、更に、ヘルメットをしない場合においてもそのまま使用できる効果がある。
【考案を実施するための最良の形態】
【００１７】
以下、図面を参照しつつ、本考案の実施の形態について説明する。
【実施例１】
【００１８】
本考案のゴーグルの第１実施例は、図１〜図３に示す様に、ゴーグル１を固定するバンド２の両端部が上下両方向で縮幅した幅細部３を有する織製帯よりなり、前記幅細部３はゴーグル装着時における耳位置付近まで延在した延在部４を有する。その経糸（ベルトの長手方向の糸）の本数は織製帯全体に渡り同一であり、経糸の太さについては緯糸（ベルトの幅方向の糸）の影響によって多少の伸縮はあるものの、織製帯全体に渡り同一仕様の太さの物が使用されている。
【００１９】
又、前記織製帯の経糸はポリウレタン等の伸縮性と耐寒性を有する素材が使用され、緯糸は、ポリステロール、アクリル、ナイロン等の材料が使用され、既存の織製帯の幅可変技術を用いて、幅細部３では経糸間のピッチを狭めると同時に緯糸の使用比率を高め、幅広部５では経糸間のピッチを広めると同時に緯糸の使用比率を低下させて、バンド２全体がほぼ同一の厚みを有する構造になっている。
【００２０】
尚、本実施例では前記バンド２の長さ調整手段を図示していないが、バンド２の両端部、若しくはゴーグル装着持における後頭部当接位置で、既存のバンド２の長さ調整手段を用いる事ができる。
【実施例２】
【００２１】
本考案のゴーグルの第２実施例は、ゴーグル１を固定するバンド２の両端部が下方向のみ縮幅した幅細部３を有する織製帯よりなり、前記幅細部３はゴーグル装着持における耳位置付近まで延在する延在部４を有する。
【実施例３】
【００２２】
本考案のゴーグルの第３実施例は、ゴーグル１を固定するバンド２の両端部が上方向のみが縮幅した幅細部３を有する織製帯よりなり、前記両端部の幅細部３とは別に、ゴーグル装着持における耳位置付近の下方部に縮幅した第二の幅細部６を有する。尚、本考案におけるゴーグルのバンドの幅細部形状は前記実施例１〜３に限定されず、必要に応じて自由に設定する事ができる。
【実施例４】
【００２３】
本考案のゴーグルの第４実施例は、ゴーグル１を固定するバンド２の両端部が上下両方向で縮幅した幅細部３を有する織製帯よりなり、前記織製帯が、ゴーグル装着時において後頭部当接面に滑り止め機能を有する経糸もしくは緯糸の露出部７を有し、側頭部当接面には滑り止め機能を有する経糸もしくは緯糸が露出しない様に構成される。尚、本実施例ではバンド２の長さ調整手段８がゴーグル装着時における後頭部当接位置において、既存技術の折り返し構造を用いているが、他の既存のゴーグル用バンドの長さ調整手段を用いても良い。
【図面の簡単な説明】
【００２４】
【図１】本考案の第１実施例を示す側面図である。
【図２】本考案の第１実施例の使用状態を示す参考図である。
【図３】本考案の第２実施例の使用状態を示す参考図である。
【図４】本考案の第３実施例の使用状態を示す参考図である。
【図５】本考案の第４実施例を示す斜視図である。
【図６】従来のゴーグルを示す斜視図である。
【図７】従来のゴーグルの使用状態を示す参考図である。
【図８】従来のゴーグルを示す要部参考図である。
【図９】従来のゴーグルを示す要部参考図である。
【図１０】従来のゴーグルの使用状態を示す参考図である。
【図１１】従来の幅広部と幅細部を形成した織製帯の使用例を示す参考図である。
【符号の説明】
【００２５】
１      ゴーグル
２      バンド
３      幅細部
４      延在部
５      幅広部
６      第二の幅細部
７      露出部
８      長さ調整手段 
１１    ゴーグル
１２    バンド
１３    接続具
１４    止め具
１５    バンド
１６    幅細部
１７    ゴーグルホルダー
１８    幅細部
１９    幅広部
２０    グリップバンド
【図１】
0003150770.tif 000003
【図２】
0003150770.tif 000004
【図３】
0003150770.tif 000005
【図４】
0003150770.tif 000006
【図５】
0003150770.tif 000007
【図６】
0003150770.tif 000008
【図７】
0003150770.tif 000009
【図８】
0003150770.tif 000010
【図９】
0003150770.tif 000011
【図１０】
0003150770.tif 000012
【図１１】
0003150770.tif 000013